(57)【要約】【課題】ユーザにより使用される場合にだけ電力状態を変更可能なネットワーク機器を提供すること。【解決手段】消費電力が異なる複数の電力消費状態を有し、機器２００から投影データを受信して投影するネットワーク機器１００であって、当該ネットワーク機器を一意に識別する識別情報が記憶された識別情報記憶手段２２１と、データを処理不可な第1の電力消費状態にて前記機器から前記識別情報を含む検索要求を受信する受信手段２１と、前記識別情報記憶手段に記憶された前記識別情報と、前記受信手段が受信した前記識別情報が一致したことを契機に、投影データを投影可能な第２の電力消費状態に変更する電力状態変更手段２２と、前記検索要求に含まれる前記識別情報を有する旨の検索応答を前記機器に送信する検索応答手段２１１と、前記機器から受信した投影データを投影する投影手段２５と、を有することを特徴とする。【選択図】図２
2014085807.tif 000002
【特許請求の範囲】
【請求項１】
消費電力が異なる複数の電力消費状態を有し、機器から受信したデータを処理するネットワーク機器であって、
当該ネットワーク機器を一意に識別する識別情報が記憶された識別情報記憶手段と、
データを処理不可な第1の電力消費状態にて前記機器から前記識別情報を含む検索要求を受信する受信手段と、
前記識別情報記憶手段に記憶された前記識別情報と、前記受信手段が受信した前記識別情報が一致したことを契機に、データを処理可能な第２の電力消費状態に変更する電力状態変更手段と、
前記検索要求に含まれる前記識別情報を有する旨の検索応答を前記機器に送信する検索応答手段と、
前記機器から受信したデータを処理するデータ処理手段と、
を有することを特徴とするネットワーク機器。
【請求項２】
前記電力状態変更手段が前記第２の電力消費状態に変更してからの経過時間を計測する経過時間計測手段を有し、
前記経過時間計測手段が一定時間を計測するまでの間に、前記機器からデータを受信しなかった場合、前記電力状態変更手段は前記第１の電力消費状態に戻す、
ことを特徴とする請求項１記載のネットワーク機器。
【請求項３】
前記機器からデータの入力インタフェースの切り替え要求を取得した場合、データの前記入力インタフェースを、前記機器からデータを受信する入力インタフェースに切り替える入力インタフェース切り替え手段を有し、
前記入力インタフェース切り替え手段が前記入力インタフェースを切り替えた後に、データを受信する、ことを特徴とする請求項１又は２記載のネットワーク機器。
【請求項４】
前記電力状態変更手段が、前記識別情報記憶手段に記憶された前記識別情報と、前記受信手段が受信した前記識別情報が一致したため前記第２の電力消費状態に変更した場合、前記第２の電力消費状態に変更した変更理由を記憶しておき、
前記入力インタフェース切り替え手段が前記入力インタフェースの切り替えに失敗した場合、前記変更理由が記憶されている場合に限り、前記電力状態変更手段はデータを前記第１の電力消費状態に戻す、ことを特徴とする請求項３記載のネットワーク機器。
【請求項５】
前記電力状態変更手段が、前記識別情報記憶手段に記憶された前記識別情報と、前記受信手段が受信した前記識別情報が一致したため前記第２の電力消費状態に変更した場合、前記第２の電力消費状態に変更した変更理由を記憶しておき、
前記機器からデータを受信すること、又は、前記データ処理手段がデータを処理することに失敗した場合、前記変更理由が記憶されている場合に限り、前記電力状態変更手段は前記第１の電力消費状態に戻す、
ことを特徴とする請求項１〜４いずれか1項記載のネットワーク機器。
【請求項６】
前記電力状態変更手段が、前記識別情報記憶手段に記憶された前記識別情報と、前記受信手段が受信した前記識別情報が一致したため前記第２の電力消費状態に変更した場合、前記第２の電力消費状態に変更した変更理由を記憶しておき、
前記データ処理手段がデータの処理を終了した場合、前記変更理由が記憶されている場合に限り、前記電力状態変更手段は前記第１の電力消費状態に戻す、
ことを特徴とする請求項１〜５いずれか1項記載のネットワーク機器。
【請求項７】
前記データ処理手段がデータの処理を終了してからの経過時間を計測する経過時間計測手段を有し、
前記経過時間計測手段が一定時間を計測するまでの間に、前記機器から次のデータを受信しなかった場合、前記電力状態変更手段は前記第１の電力消費状態に戻す、
ことを特徴とする請求項６記載のネットワーク機器。
【請求項８】
当該ネットワーク機器に不具合が生じ、前記データ処理手段がデータを処理できない場合、
前記識別情報記憶手段に記憶されている前記識別情報と、前記受信手段が受信した前記識別情報が一致した場合でも、前記電力状態変更手段は前記第２の電力消費状態に変更しない、ことを特徴とする請求項1記載のネットワーク機器。
【請求項９】
当該ネットワーク機器に不具合が生じ、前記データ処理手段がデータを処理できない場合、
前記識別情報記憶手段に記憶されている前記識別情報と、前記受信手段が受信した前記識別情報が一致した場合でも、前記電力状態変更手段は前記第２の電力消費状態に変更しない、ことを特徴とする請求項1記載のネットワーク機器。
【請求項１０】
請求項１〜９いずれか１項記載のネットワーク機器に、さらに
前記データ処理手段が前記機器から受信した投影データを投影する機能と、
前記電力状態変更手段が投影データを投影可能な前記第２の電力消費状態に変更する機能と、が加えられたことを特徴とする投影装置。
【請求項１１】
データを送信する機器と、消費電力が異なる複数の電力消費状態を有し前記機器から受信したデータを処理するネットワーク機器と、がネットワークを介して接続されたネットワークシステムであって、
当該ネットワーク機器を一意に識別する識別情報が記憶された識別情報記憶手段と、
データを処理不可な第1の電力消費状態にて前記機器から前記識別情報を含む検索要求を受信する受信手段と、
前記識別情報記憶手段に記憶された前記識別情報と、前記受信手段が受信した前記識別情報が一致する場合、データを処理可能な第２の電力消費状態に変更する電力状態変更手段と、
前記検索要求に含まれる前記識別情報を有する旨の検索応答を前記機器に送信する検索応答手段と、
前記機器から受信したデータを処理するデータ処理手段と、
前記識別情報の入力を受け付ける入力受け付け手段と、
前記入力受け付け手段が受け付けた前記識別情報を含む前記検索要求を、ネットワークを介して一斉送信する送信手段と、を有し、
前記送信手段は、前記検索応答を送信した前記ネットワーク機器にデータを送信する、
ことを特徴とするネットワークシステム。
【請求項１２】
前記機器は、前記検索応答を送信した前記ネットワーク機器に周期的に前記電力消費状態を問い合わせ、
前記ネットワーク機器の前記電力消費状態が前記第２の電力消費状態に変更された場合、データを前記ネットワーク機器に送信する、
ことを特徴とする請求項９記載のネットワークシステム。
【発明の詳細な説明】
【技術分野】
【０００１】
本発明は、消費電力が異なる複数の電力消費状態を有し、機器から投影データを受信して投影する投影装置等に関する。
【背景技術】
【０００２】
ネットワークに複数のプロジェクタを接続しておき、ユーザが指示した「接続コード」によりプロジェクタを指定して投影を行うプロジェクションシステムが知られている。「接続コード」とは、プロジェクションシステム上でプロジェクタを一意に識別するための識別情報である。
【０００３】
図１は、プロジェクションシステムの従来の動作手順を示すシーケンス図の一例である。
S1.0：ユーザはネットワークユーティリティ（以下、ＮＷＵという）を操作して、接続コードとして"００１"を指定して接続開始という操作を行う。
S1.1 1.2：ＮＷＵは接続コードが００１のプロジェクタをプロジェクションシステムから検索する。このため、ＮＷＵは、検索要求をネットワークに同報送信する。同報送信なので宛先ＩＰアドレスを"255.255.255.255"に設定する。例えば通信プロトコルにＳＮＭＰ（Simple Network Management Protocol）を使用する場合、接続コードが格納されているＭＩＢ（Management Information Base）のＯＩＤ（Object Identifier）には何も設定しなくてよいので"ＮＵＬＬ"を設定する。
S1.3 1.4：プロジェクタ１，２がそれぞれ検索要求に対し検索応答する。すなわち、プロジェクタ１は自機の接続コードとして"００１"を、プロジェクタ２は自機の接続コードとして"００２"をそれぞれ送信する。また、検索応答によりＩＰアドレスが通知される。
S1.5：ＮＷＵはユーザが指定した接続コードと一致する接続コードを送信したプロジェクタ１に対し、電力状態取得要求を送信する。
S1.6：プロジェクタ１は電力状態を含む電力状態取得応答をＮＷＵに送信する。プロジェクタ１の電力状態は、投影不可な電力状態であるとする。
S1.7：ＮＷＵはプロジェクタ１に対し電力変更要求を送信する。
S1.8：プロジェクタ１は電力状態を変更する。この電力状態の変更にはある程度の時間がかかってしまう。
S1.9：電力状態が変更されるとプロジェクタ１は、投影可能な電力状態に変更したという変更ＯＫの電力変更応答をＮＷＵに送信する。
S1.10：ＮＷＵは投影データをプロジェクタ１に送信する。
【０００４】
このように、ユーザが投影データを投影するプロジェクタの「接続コード」を指定すると、プロジェクションシステムが指定された接続コードのプロジェクタを検索し、自動的に投影を開始する。
【０００５】
しかしながら、このような電力状態の復帰方法では、ＮＷＵとプロジェクタの間で検索要求・検索応答や電力状態取得要求・電力状態取得応答が送受信されるため、ユーザが投影開始を要求してから、プロジェクタが投影を開始するまでに時間がかかってしまう。
【０００６】
そこで、より早期にプロジェクタが電力状態を変更することが考えられる。例えば、従来からデータの受信により省エネ状態から復帰する情報処理装置が知られている（例えば、特許文献１参照。）。特許文献１には、ＣＰＵが管理すべきパケットを省エネ状態で受信したとしても省エネ状態から復帰せずにパケットを蓄積しておき、印刷パケットを受信した場合にＣＰＵが省エネ状態から復帰するとともに、蓄積しておいた管理すべきパケットをＣＰＵへ通知する情報処理装置が開示されている。
【発明の概要】
【発明が解決しようとする課題】
【０００７】
しかしながら、特許文献１に記載のように、特定のデータを受信した場合に電力状態を変更する情報処理装置では、ネットワークに接続されている全ての情報処理装置が電力状態を変更してしまうという問題がある。プロジェクションシステムでは、通常は一台のプロジェクタが投影データを投影すればよいので、残りのプロジェクタの消費電力が増大してしまう。
【０００８】
本発明は、上記課題に鑑み、ユーザにより使用される場合にだけ電力状態を変更可能な投影装置を提供することを目的とする。
【課題を解決するための手段】
【０００９】
本発明は、消費電力が異なる複数の電力消費状態を有し、機器から受信したデータを処理するネットワーク機器であって、当該ネットワーク機器を一意に識別する識別情報が記憶された識別情報記憶手段と、データを処理不可な第1の電力消費状態にて前記機器から前記識別情報を含む検索要求を受信する受信手段と、前記識別情報記憶手段に記憶された前記識別情報と、前記受信手段が受信した前記識別情報が一致したことを契機に、データを処理可能な第２の電力消費状態に変更する電力状態変更手段と、前記検索要求に含まれる前記識別情報を有する旨の検索応答を前記機器に送信する検索応答手段と、前記機器から受信したデータを処理するデータ処理手段と、を有することを特徴とする。
【発明の効果】
【００１０】
ユーザにより使用される場合にだけ電力状態を変更可能なネットワーク機器を提供することができる。
【図面の簡単な説明】
【００１１】
【図１】プロジェクションシステムの従来の動作手順を示すシーケンス図の一例である。
【図２】本実施形態のプロジェクションシステムの動作手順を示すシーケンス図の一例である
【図３】プロジェクションシステムの構成例を示す図の一例である。
【図４】投影装置、投影御装置のハードウェア構成図の一例を示す
【図５】投影制御装置と投影装置の機能ブロック図の一例である。
【図６】投影装置の電力状態について説明する図の一例である。
【図７】プロジェクションシステムの動作手順を説明するシーケンス図の一例である。
【図８】プロジェクションシステムの動作手順を説明するシーケンス図の一例である。
【図９】プロジェクションシステムの動作手順を説明するシーケンス図の一例である。
【図１０】プロジェクションシステムの動作手順を説明するシーケンス図の一例である。
【図１１】投影開始の操作を行うための画面の一例を示す図である。
【図１２】ＳＮＭＰのメッセージフォーマット（RFC1157）を示す図の一例である。
【発明を実施するための形態】
【００１２】
以下、本発明を実施するための形態について図面を参照しながら説明する。
図２は、本実施形態のプロジェクションシステムの動作手順を示すシーケンス図の一例である。ステップS1.0については図１と同様である。
S1.1 1.3：投影制御装置は投影識別情報が例えば"００１"の投影装置（特許請求の範囲のネットワーク機器に相当する）を検索する際、検索要求に検索対象の投影装置の投影識別情報として"００１"を含めておく。投影識別情報は、プロジェクションシステム上でプロジェクタを一意に識別するための識別情報である。
S1.2：そして、投影装置１は検索要求に含まれる「投影識別情報」と「自身の投影識別情報」が一致する場合、投影装置の電力状態が「投影不可な電力状態」であれば、「投影可能な電力状態」に変更する。投影装置２は検索要求に含まれる「投影識別情報」と「自身の投影識別情報」が一致しないので、電力状態を変更しない。
S1.4：そして、投影装置１のみが検索要求に対し検索応答する。すなわち、投影装置１は自機の投影識別情報として"００１"を送信する。
S1.5：投影制御装置は投影識別情報を送信した投影装置１に対し、電力状態取得要求を送信する。
S1.6：投影装置１は電力状態を含む電力状態取得応答を投影制御装置に送信する。投影装置１の電力状態が投影不可な電力状態である場合、投影制御装置は投影可能な電力状態になるまで電力状態取得要求を繰り返し、電力状態取得応答を受信する（ポーリング）。
S1.7：投影装置１が投影可能な電力状態になると、投影制御装置は投影データを投影装置１に送信する。
【００１３】
本実施形態のプロジェクションシステムは、投影識別情報が一致すれば、その後、投影データが送信されることが予測できるので、投影装置は「電力状態」を変更する。検索要求に投影識別情報が含まれない、又は、投影識別情報が一致しない場合、その後、投影データが来ないことが予測できるので、投影装置は電力状態の変更は行わない。このため、投影識別情報が一致する投影装置以外は、省エネ状態を維持できる。
【００１４】
このような処理により、時間を要する「投影装置の電力状態変更処理」の開始を図１の従来のプロジェクションシステムより早めることができる。また、ユーザがプロジェクションシステムに「投影開始」の要求を行ってから、実際に投影装置が投影を開始するまでの時間を短縮できる。
【００１５】
〔構成例〕
図３は、プロジェクションシステムの構成例を示す図の一例である。プロジェクションシステム３００は、ネットワーク３０１を介して通信可能に接続された１台以上の投影装置１００と投影制御装置２００を有する。ネットワーク３０１は例えばＬＡＮであるが、複数のＬＡＮがルータで接続されたＷＡＮ（インターネット）であってもよい。また、ＬＡＮには有線ＬＡＮ、無線ＬＡＮ、又は、無線ＬＡＮの一態様としてのＷｉ-Ｆｉ（wireless fidelity）を含む。また、ネットワーク３０１でなくＵＳＢケーブルやＬＡＮケーブルなどで、投影装置１００と投影制御装置２００が１対１に接続されていてもよい。
【００１６】
投影制御装置２００は図１のネットワークユーティリティ（ＮＷＵ）に対応する装置であるが、その呼称はどのようなものでもよく、情報処理装置としての機能を有していればよい。投影制御装置２００は、例えばＰＣ（Personal Computer）、ノートＰＣ、タブレット、スマートフォン、又は、携帯電話などである。また、投影制御装置２００に搭載されるＯＳ（Operating System）は、Windows（登録商標）、Linux（登録商標）、Android（登録商標）、iOS（登録商標）などがある。また、投影制御装置２００はサーバとしての機能を備えていてもよい。
【００１７】
投影装置１００は、投影データに基づき光学デバイスを制御してスクリーンなどに画像や映像を投影する。プロジェクタと呼ばれる場合がある。搭載されうる光学デバイスには、ＬＣＤ（Liquid Crystal Display）型、ＤＬＰ（Digital Light Processing）、ＬＣＯＳ（Liquid crystal on silicon）型などがある。光学デバイスで生成された光は、レンズを通過してスクリーンなどに投影される。レンズには単焦点のものと変倍が可能なものがある。単焦点の投影装置１００は、スクリーンに対し近距離（１ｍ前後以内）で焦点が合うようになっている。
【００１８】
図４（ａ）は、投影制御装置２００のハードウェア構成図の一例を示す。投影制御装置２００は、バスに接続された、ＣＰＵ２０１、ＲＯＭ２０２、ＲＡＭ２０３、ＨＤＤ２０４、ディスプレイ２２０が接続されたグラフィックボード２０５、キーボード・マウス２０６、メディアドライブ２０７、及び、ネットワーク通信部２０８を有する。ＣＰＵ２０１はＨＤＤ２０４に記憶されたプログラムをＲＡＭ２０３に展開して実行し、各部品を制御して入出力を行ったり、データの加工を行ったりする。ＲＯＭ２０２にはＢＩＯＳや、ブートストラップローダをＨＤＤ２０４からＲＡＭ２０３に読み出す小さなプログラムが記憶されている。ブートストラップローダは、ＯＳをＨＤＤ２０４からＲＡＭ２０３に読み出す。
【００１９】
ＨＤＤ２０４は、不揮発性のメモリであればよくＳＳＤ（Solid State  Drive）などでもよい。ＨＤＤ２０４はＯＳ、デバイスドライバ、及び、後述する機能を提供するプログラム２１０を記憶している。ディスプレイ２２０にはプログラムが指示し、グラフィックボード２０５が作成したＧＵＩ画面が表示される。
【００２０】
キーボード・マウス２０６はユーザの操作を受け付ける入力装置である。メディアドライブ２０７はコンパクトディスク、ＤＶＤ及びブルーレイディスクなどの光学メディアにデータを読み書きする。また、フラッシュメモリなどのメモリカードにデータを読み書きしてもよい。ネットワーク通信部２０８は、例えばＬＡＮに接続するためのイーサネット（登録商標）カードである。ＴＣＰ／ＩＰ（ＵＤＰ／ＩＰ）やアプリケーション層のプロトコルの処理はＯＳやプログラム２１０が行う。アプリケーション層のプロトコルは各種あるが、例えばＳＮＭＰ（Simple Network Management Protocol）、ＨＴＴＰ、ＦＴＰ、ＳＭＢ（Server Message Block）等がある。
【００２１】
プログラム２１０は、インストール可能な形式又は実行可能な形式のファイルで、コンピュータで読み取り可能な記録メディアに記録して配布される。また、プログラム２１０は、不図示のサーバからインストール可能な形式又は実行可能な形式のファイルで配布される。
【００２２】
図４（ｂ）は、投影装置１００の機能ブロック図の一例を示す。投影装置１００は、コントローラ１０２により制御され、コントローラ１０２にフラッシュメモリ１０１、画像投影部１０４、画像処理部１０５、操作入力部１０６及びＲＡＭ１０３が接続されている。
【００２３】
操作入力部１０６は、使用者の操作を受け付けるハードキー、タッチパネル式の液晶などに表示されたソフトキー、又は、音声入力装置などである。また、投影制御装置２００からコマンドを受信して操作を受け付けることができる。
【００２４】
投影制御装置２００より入力された投影データは、コントローラ１０２を介して画像処理部１０５へ入力される。画像処理部１０５は、画像投影用に画像データに処理を施す。例えば、画像データの解像度を投影装置１００が対応する解像度に変換したり、ＲＧＢの各色の画像への分解、所定の色信号を強調・減衰したり、画像の周辺の先鋭度を高くするなどの処理を行う。
【００２５】
入力される投影データは、ネットワーク経由で送信されるデジタルデータ（ＪＰＥＧ、ＢＭＰ、ＧＩＦ、ＰＮＧ、ＭＰＥＧ２、ＷＭＶ、ＭＰ４）である。但し、投影装置としては、Ｄ−Ｓｕｂ、ＢＣＮ、ＨＤＭＩなどのインタフェースで送信される映像信号（NTSC、PAL、SECAM）を投影する機能を有している。
【００２６】
画像投影部１０４は上記の光学デバイス及び光学系である。コントローラ１０２は画像処理部１０５がＲＡＭ１０３に記憶した投影データを読み出して画像投影部１０４を制御することで投影データを投影する。フラッシュメモリ１０１には、プログラム１０９や色の調整値などのパラメータが記憶されている。このプログラム１０９は、インストール可能な形式又は実行可能な形式のファイルで、コンピュータで読み取り可能な記録メディアに記録して配布される。また、プログラム１０９は、不図示のサーバからインストール可能な形式又は実行可能な形式のファイルで配布される。
【００２７】
図５は、投影制御装置２００と投影装置１００の機能ブロック図の一例を示す。投影制御装置２００は、投影装置１００に投影データを転送してネットワーク経由で投影を制御する。投影制御装置２００は、投影制御モジュール１１、ＵＩモジュール１２、通信モジュール１４、及び、投影データ作成モジュール１３を有している。
【００２８】
投影制御モジュール１１は、他モジュールを使用して投影制御を行うモジュールである。ＵＩモジュール１２は、ユーザからの入力を受け付け、操作結果や制御結果を表示するモジュールである。投影データ作成モジュール１３は投影データを作成するモジュールである。投影データの作成とは、投影装置が対応するファイルフォーマットに投影データを変換することをいう。通信モジュール１４は投影装置１００の検索、投影データの転送を行うモジュールである。
【００２９】
投影装置１００は、投影制御装置２００から転送された投影データを投影する。投影装置１００は、省エネサブシステム１１０とメインサブシステム１２０に分かれており、両者はＵＳＢケーブルにより接続されている。省エネサブシステム１１０は、投影装置１００において通信機能を提供するサブシステムである。メインサブシステム１２０と異なるＣＰＵで動作し、省エネ時（投影不可な電力状態）でも動作可能である。メインサブシステム１２０は、投影装置１００において投影機能を提供するサブシステムである。省エネ時には電力が提供されないため動作できない。
【００３０】
省エネサブシステム１１０は、通信モジュール２１、機器管理モジュール２２、及び、サブシステム通信モジュール２３を有する。通信モジュール２１は、投影装置１００の検索要求に対する応答、及び、投影データの受信を行うモジュールである。通信モジュール２１は電力状態変更理由２１３を記憶する。電力状態変更理由２１３については後述する。また、検索応答部２１１と省エネ移行タイマ２１２を有している。
【００３１】
機器管理モジュール２２は、省エネサブシステム１１０の設定・状態を管理するモジュールである。機器管理モジュール２２は投影識別情報２２１として"００１"を記憶している。機器管理モジュール２２はメインサブシステムの電源をＯＮにしたり、メインサブシステムに投影不可な電力状態に移行するよう要求する。この結果、現在の電力状態２２２を記憶している。サブシステム通信モジュール２３は、メインサブシステム１２０との間で通信し、投影データやコマンドの送信、及び、状態に関する情報の受信を行うモジュールである。
【００３２】
メインサブシステム１２０は、投影モジュール２５、機器管理モジュール２６、及び、サブシステム通信モジュール２４を有する。投影モジュール２５は、投影データを投影するモジュールである。機器管理モジュール２６は、メインサブシステム１２０の設定・状態を管理するモジュールである。機器管理モジュール２６は投影可能な電力状態から投影不可な電力状態に移行させる処理を行う。また、機器管理モジュール２６は入力切替部２６１を有する。サブシステム通信モジュール２４は省エネサブシステム１１０と通信を行うモジュールである。
【００３３】
図６は、投影装置１００の電力状態について説明する図の一例である。投影装置１００は以下の３つの電力状態を有している。なお、この他に電力状態があってもよいが、説明に使用しない電力状態は省略する。
・メイン電源ＯＦＦ：メイン電源がＯＦＦになっており、省エネサブシステム１１０とメインサブシステム１２０のどちらにも電力が供給されない状態
・投影可能な電力状態：メインサブシステム１２０と省エネサブシステム１１０に電力が供給され、投影データを投影可能な電力状態である
・投影不可な電力状態：メインサブシステム１２０に電力が供給されず、省エネサブシステム１１０には電力が供給され投影制御装置２００と通信可能な電力状態である
メイン電源ＯＦＦから投影可能な電力状態にはメイン電源がＯＮとなることで移行し、投影可能な電力状態からメイン電源ＯＦＦにはメイン電源がＯＦＦとなることで移行する。投影可能な電力状態から投影不可な電力状態には、投影することなく（投影データを受信することなく）一定時間が経過することで移行し、投影不可な電力状態から投影可能な電力状態にはメインサブシステム１２０の電源がＯＮになると移行する。また、投影不可な電力状態からメイン電源ＯＦＦには、メイン電源がＯＦＦとなることで移行する。
【００３４】
〔動作手順〕
図７〜１０はプロジェクションシステム３００の動作手順を説明するシーケンス図の一例を示す。
S1.0：投影制御装置２００のユーザは、投影識別情報を指定して投影開始の操作を行う。図１１は投影開始の操作を行うための画面の一例を示す。この画面はＵＩモジュール１２が作成する。投影開始の操作を行うための画面は「投影データ選択欄」と「プロジェクタ選択欄」を有し、「投影データ選択欄」には、投影データのファイル名が設定されるファイル名選択欄５０１がある。ユーザはファイルシステムを利用して投影データのファイルを選択できる。選択された投影データのプレビューがプレビュー欄５０２に表示される。
【００３５】
また、ユーザは、「プロジェクタ選択欄」で投影識別情報を設定できる。投影識別情報は、ユーザにとって既知か、又は、リストから選択可能になっている。また、シールなどで投影装置１００に貼付されていてもよい。また、「型番」と「シリアル番号」の組を投影識別情報としてもよい。投影識別情報を設定後、ユーザが投影開始ボタン５０４を押下することで、投影開始の操作が受け付けられる。
【００３６】
S1.1：ＵＩモジュール１２は投影開始という操作と投影識別情報を投影制御モジュール１１に送出する。
【００３７】
S1.2：投影制御モジュール１１は、ユーザが指定した投影識別情報を検索要求に含め、投影装置１００を検索する。検索に使用するネットワークプロトコルとしてＳＮＭＰを用いる場合、システム管理者等が「投影識別情報」のＭＩＢ（Management Information Base）とそのＯＩＤ（Object Identifier）を定義しておく。投影制御モジュール１１は投影識別情報のＯＩＤを検索要求に含める。検索要求は、ネットワーク上の全ての端末に届くように「ブロードキャスト（一斉送信）」で送信する。
【００３８】
図１２はＳＮＭＰのメッセージフォーマット（RFC1157）を示す図の一例である。ＳＮＭＰバージョンはＶ１〜Ｖ３で同一のバージョンに対応していない機器は応答できない。Community名はＳＮＭＰで通信する機器をグループ化するグループ名で、同一のCommunity名でない機器は応答できない。ＰＤＵ（Protocol  Data  Unit）タイプはオペレーションが指定されるフィールドで、例えばGetRequestが設定される。ＭＩＢ情報（複数の設定が可能）には投影識別情報が格納されているＯＩＤが指定される。
【００３９】
投影装置１００が投影識別情報を返送する際のフォーマットも同じである。この場合、ＰＤＵタイプにはGetResponseが設定され、ＭＩＢ情報には投影識別情報が格納されているＯＩＤと投影識別情報が設定される。
【００４０】
なお、リクエストＩＤは投影制御装置２００からのメッセージと投影装置１００からのメッセージを関連付ける値が設定される。エラーステータスには指定されたＯＩＤが存在しないなどのエラーコードが格納される。エラー位置番号はどのＭＩＢ情報にエラーが発生したのかが設定される。
【００４１】
ＳＮＭＰの本来の手順では、投影識別情報が一致しなくても投影装置１００がレスポンスを返すので、本実施形態では投影識別情報が一致した投影装置１００のみがレスポンスを返すようにＳＮＭＰが拡張されている。または、ＳＮＭＰに関係なく独自のプロトコルが策定されている。
【００４２】
また、シーケンス図とは異なるが、ＳＮＭＰの本来の手順に従って、投影識別情報が一致しなくても投影装置１００がレスポンスを返してもよい。ただし、投影識別情報が一致しない投影装置１００は電力状態を変更しないものとする。
【００４３】
S1.3：通信モジュール１４は、投影制御モジュール１１の指示により、ＩＰヘッダの宛先を"２５５．２５５．２５５．２５５"に設定し、投影識別情報が格納されるＯＩＤのフィールドに"００１"を格納して、省エネサブシステム１１０の通信モジュール２１に送信する。
【００４４】
通信モジュール２１の検索応答部２１１は、投影制御装置２００から受信した検索要求に投影識別情報が含まれているか否かを判定し、含まれていない場合は検索応答を返すことなく終了する。
S1.4：検索要求に投影識別情報が含まれている場合、検索応答部２１１は機器管理モジュール２２から投影識別情報２２１を取得する。そして、検索要求に含まれる投影識別情報と自身の投影識別情報２２１が一致するか否かを判定し、一致しない場合、検索応答を返すことなく終了する。
【００４５】
S1.5：検索要求に投影識別情報が含まれており、検索要求に含まれる投影識別情報と自身の投影識別情報２２１が一致する場合、検索応答部２１１は機器管理モジュール２２からエラー状態（ＳＮＭＰのエラーステータスとは別物）を取得する。これは、投影装置１００が「エラー状態」であった場合、「投影」を行えないので、エラー状態でないことを確認するためである。エラー状態の場合、投影装置１００は、自身の「電力状態変更」を行わず、投影制御装置２００に「検索応答」を返さない。これにより電力状態の変更による無駄な「電力消費」を防ぐことができる。なお、投影制御装置２００が検索応答を待ち続けないように、投影制御装置２００に「エラーの検索応答」を返してもよい。
【００４６】
S1.6：検索要求に投影識別情報が含まれており、検索要求に含まれる投影識別情報と自身の投影識別情報２２１が一致し、エラー状態でない場合、検索応答部２１１は機器管理モジュール２２から電力状態２２２を取得する。
【００４７】
S1.7：通信モジュール２１は、自身の電力状態２２２が「投影不可な電力状態」であるか否かを判定し「投影不可な電力状態」である場合、機器管理モジュール２２に「投影可能な電力状態」に電力状態を変更するよう要求する。「投影不可な電力状態」でない場合、処理はS1.11に移行する。
【００４８】
電力状態２２２を変更するのは、投影識別情報が一致したため投影データが送信されることが予測されたためである。これにより、投影開始までの時間を短縮できる。
【００４９】
S1.8：機器管理モジュール２２は、メインサブシステム１２０の電源をＯＮにする。これにより、投影可能な電力状態に変更される。機器管理モジュール２２は電力状態の変更を通信モジュール２１に通知する。
【００５０】
S1.9：通信モジュール２１は、このように投影するために電力状態を変更する必要が生じたことを電力状態変更理由２１３として保持しておく。
【００５１】
S1.10：また、一定時間内に投影データを受信しない場合に、省エネ状態に戻れるように（「投影不可な電力状態」に戻れるように）、省エネ移行タイマ２１２による時間計測を開始する。
【００５２】
S1.11：検索応答部２１１は、投影制御装置２００に「検索応答」を返す。投影制御装置２００は「検索応答」のＩＰヘッダに含まれる「投影装置のIPアドレス」を使用して、その後、投影装置１００にアクセスする。
【００５３】
S1.12：通信モジュール２１が投影データを受信することなく省エネ移行タイマ２１２が一定時間を計測したためタイムアウトした場合、通信モジュール２１は電力状態を元に戻す。このため、通信モジュール２１は電力状態変更理由２１３をクリアする。
【００５４】
S1.13：通信モジュール２１は省エネ移行タイマ２１２をクリアする（計測した時間をゼロに戻し、一定時間が経過したという通知を消去する）。
【００５５】
S1.14：通信モジュール２１は、投影不可な電力状態にするよう機器管理モジュール２２に電力状態の変更を要求する。
【００５６】
S1.15：省エネサブシステム１１０の機器管理モジュール２２はメインサブシステム１２０の機器管理モジュール２６に電源状態の変更を要求する。このため、まず、省エネサブシステム１１０の機器管理モジュール２２はサブシステム通信モジュール２３に投影不可な電力状態への変更要求を送出する。
【００５７】
S1.16：サブシステム通信モジュール２３は、メインサブシステム１２０のサブシステム通信モジュール２４に投影不可な電力状態への変更要求を送出する。
【００５８】
S1.17：メインサブシステム１２０のサブシステム通信モジュール２４は、メインサブシステム１２０の機器管理モジュール２６に投影不可な電力状態への変更要求を送出する。機器管理モジュール２６は、メインサブシステム１２０への電力供給を停止する。これにより、投影が行われないにも関わらず、投影装置１００が省エネから復帰したままとならないように、無駄な電力消費を防ぐことができる。
【００５９】
S1.18：次に、投影制御装置２００の投影制御モジュール１１は、投影データの転送準備を通信モジュール１４に要求する。このタイミングは、通信モジュール１４が例えば検索応答を受信した後である。
【００６０】
S1.19：まず、通信モジュール１４は、省エネサブシステム１１０の通信モジュール２１から電力状態を取得する。
【００６１】
S1.20：省エネサブシステム１１０の通信モジュール２１は機器管理モジュール２２から電力状態２２２を取得する。
【００６２】
投影制御装置２００の通信モジュール１４は、省エネサブシステム１１０から投影可能な電力状態であるという電力状態を取得できるまで省エネサブシステム１１０に対しポーリングする。これにより、投影装置１００が電力変更を行なった後、確実に投影装置１００が投影データを投影できるようにすることができる。
【００６３】
S1.21：投影装置１００が投影可能な電力状態になった場合、投影制御装置２００の通信モジュール２１は、投影装置１００の「入力信号状態」を確認する。このため、投影制御装置２００の通信モジュール１４は、投影装置１００の通信モジュール２１から「入力信号状態」を取得する。
【００６４】
入力信号状態は、映像信号を入力するための複数のインタフェース（Ｄ−Ｓｕｂ、ＢＣＮ、ＨＤＭＩ、ＬＡＮ）のうちどのインタフェースから映像信号が入力されているか、又は、どのインタフェースがデフォルト設定になっているかを示す。本実施形態では、投影制御装置２００と投影装置１００はＬＡＮで接続されているので、入力信号状態がＬＡＮとなっていることを確認する。
【００６５】
S1.22：投影装置１００の通信モジュール２１は、機器管理モジュール２２に入力信号状態を問い合わせる。
【００６６】
S1.23：機器管理モジュール２２はサブシステム通信モジュール２３に入力信号状態を問い合わせる。
【００６７】
S1.24：サブシステム通信モジュール２３は、メインサブシステム１２０のサブシステム通信モジュール２４に入力信号状態を問い合わせる。
【００６８】
S1.25：メインサブシステム１２０のサブシステム通信モジュール２４は、機器管理モジュール２６に入力信号状態を問い合わせる。
【００６９】
S1.26：投影制御装置２００の通信モジュール１４は、投影装置１００が「投影可能な入力信号状態」でない場合、投影装置１００の「入力信号状態」を「投影可能な入力信号状態」に切り替える。通信モジュール１４は入力切替の要求を省エネサブシステム１１０の通信モジュール２１に送信する。
【００７０】
S1.27：省エネサブシステム１１０の通信モジュール２１は、機器管理モジュール２２に入力切替の要求を送出する。
【００７１】
S1.28：機器管理モジュール２２は、サブシステム通信モジュール２３に入力着替の要求を送出する。
【００７２】
S1.29：省エネサブシステム１１０のサブシステム通信モジュール２３は、メインサブシステム１２０のサブシステム通信モジュール２４に入力切替の要求を送出する。
【００７３】
S1.30：メインサブシステム１２０のサブシステム通信モジュール２４は、機器管理モジュール２６に入力切替の要求を送出する。これにより、機器管理モジュール２６の入力切替部２６１は入力信号状態をＬＡＮに変更する。入力信号状態を切り替えることで、入力信号状態が「投影不可な入力信号状態」であっても、確実に投影装置１００が投影データを投影できるようにすることができる。
【００７４】
S1.31：映像信号が入力されているインタフェースが固定されていたり、優先設定されているなどの理由で、入力切替部２６１が自身の「入力切替」に失敗する場合がある。この場合、「投影」は行えないので、投影装置１００は自身の電力状態を元に戻す。投影によって省エネ状態（投影不可な電力状態）から復帰した場合、電力状態を省エネ状態に戻すため、電力状態変更理由２１３を参照して投影により省エネ復帰を行ったか否かを確認する。投影により省エネ復帰を行ったが、「入力切替」に失敗した場合、投影可能な電力状態を維持する必要がないので、省エネサブシステム１１０の通信モジュール２１は投影不可な電力状態に戻す。この処理手順は、S1.12〜S1.17と同様である。「投影」が行われないにも関わらず、「投影装置」が「省エネ」から復帰したままとならないので、無駄な電力消費を防ぐことができる。
【００７５】
S1.32：投影可能な電力状態になると、投影制御装置２００の投影制御モジュール１１は、投影データ作成モジュール１３に投影データの作成を要求する。投影データ作成モジュール１３は、投影データを作成する。
【００７６】
S1.33：投影制御モジュール１１は、通信モジュール１４に投影データを転送する。
【００７７】
S1.34：投影制御装置２００の通信モジュール１４は、投影装置１００の通信モジュール２１に投影データを転送する。
【００７８】
S1.35：投影装置１００の通信モジュール２１は省エネ移行タイマ２１２をセットする。これは、投影のために省エネ復帰したことを記憶しておくため、及び、一定時間内に投影データを受信しなければ投影不可な電力状態に戻るためである。
【００７９】
S1.36：投影装置１００の通信モジュール２１は、サブシステム通信モジュール２３に投影データを転送する。
【００８０】
S1.37：省エネサブシステム１１０のサブシステム通信モジュール２３は、メインサブシステム１２０のサブシステム通信モジュール２４に投影データを転送する。
【００８１】
S1.38：メインサブシステム１２０のサブシステム通信モジュール２４は、投影モジュール２５に投影データを転送する。
【００８２】
S1.39：投影制御装置２００から投影データを受信する際に通信エラーが発生したり、投影モジュール２５が投影するまでにエラーが発生した場合、投影装置１００の通信モジュール２１は電力変更理由を確認する。すなわち、投影によって省エネ状態（投影不可な電力状態）から復帰した場合、電力状態を省エネ状態に戻すため、電力状態変更理由２１３を参照して投影により省エネ復帰を行ったか否かを確認する。この処理手順は、S1.12〜S1.17と同様である。投影が行われないにも関わらず、投影装置１００が省エネから復帰したままになることを防止し、無駄な電力消費を防ぐことができる。
【００８３】
S1.40：投影装置１００の通信モジュール２１は省エネ移行タイマ２１２をセットする。これは、投影終了後、一定時間内に再度、投影データを受信した場合は省エネ復帰の処理を省略するためである。換言すると、投影終了後、次の投影データを受信することなく一定時間が経過すると、投影装置１００の通信モジュール２１は投影不可な電力状態に戻る。この処理手順は、S1.12〜S1.17と同様である。投影装置１００が投影終了後、一定時間は省エネに移行しないことで、次の投影時に省エネ復帰処理を省略し、早急に「投影」を開始させることができる。
【００８４】
以上説明したように、本実施形態のプロジェクションシステム３００は、投影制御装置２００から送信された投影識別情報と一致する投影装置１００のみが、検索要求を受信したことを契機に投影可能な電力状態に復帰するのでユーザの待ち時間を短縮できる。投影識別情報が一致しない投影装置１００は、投影データを受信しただけでは投影可能な電力状態にならないので消費電力を節約できる。
【００８５】
なお、以上説明した形態は本発明の範囲を限定するものではなく、投影装置１，２が投影制御装置の機能を有していてもよいし、投影制御装置が投影装置の機能を有していてもよい。また、この実施形態で説明する投影装置と投影制御装置とが接続されたシステム構成は一例であり、投影装置の他にスキャナ、プリンタ、複写機、ＦＡＸ装置、若しくはこれらの機能を搭載した複合機、又は、情報処理装置などに置き換えた様々なシステム構成があることは言うまでもない。
【符号の説明】
【００８６】
１１    投影制御モジュール
１２    ＵＩモジュール
１３    投影データ作成モジュール
１４、２１  通信モジュール
２２、２６  機器管理モジュール
２３、２４  サブシステム通信モジュール
２５    投影モジュール
１００  投影装置
１１０  省エネサブシステム
１２０  メインサブシステム
２００  投影制御装置
３００  プロジェクションシステム
【先行技術文献】
【特許文献】
【００８７】
【特許文献１】特開２０１１−１１３２０２号公報
【図１】
2014085807.tif 000003
【図２】
2014085807.tif 000004
【図３】
2014085807.tif 000005
【図４】
2014085807.tif 000006
【図５】
2014085807.tif 000007
【図６】
2014085807.tif 000008
【図７】
2014085807.tif 000009
【図８】
2014085807.tif 000010
【図９】
2014085807.tif 000011
【図１０】
2014085807.tif 000012
【図１１】
2014085807.tif 000013
【図１２】
2014085807.tif 000014